(57)【特許請求の範囲】
【請求項１】
梁と形鋼製の根太とを連結金物を介して連結する連結構造であって、
前記連結金物は、前記根太に固定する第１の連結部と前記梁に固定する第２の連結部とを有するとともに、
前記梁は、前記根太を連結する側の側面に連続し且つ前記第２の連結部の厚さ以上の深さを有する座彫り部分を、上面に有していて、
前記第２の連結部は前記座彫り部分内に固定され、前記根太を構成する形鋼の上フランジの下面が前記第１の連結部に固定あるいは載置されたことを特徴とする梁と根太との連結構造。
【請求項２】
前記連結金物が平板状であるとともに、前記座彫り部分は前記第２の連結部の厚さと前記上フランジの厚さとを合わせた値以上の深さを有していて、前記梁の上面と前記上フランジの上面とが同一の高さに位置していることを特徴とする請求項１記載の梁と根太との連結構造。
【請求項３】
前記連結金物は、前記第１の連結部と前記第２の連結部との間に、前記上フランジの厚さ以上の段差を有する段差部を備えるとともに、前記両連結部が平行であることを特徴とする請求項１記載の梁と根太との連結構造。
【請求項４】
梁と形鋼製の根太とを連結金物を介して連結する連結構造であって、
前記連結金物は、前記根太に固定する第１の連結部と前記梁に固定する第２の連結部とを有し、前記両連結部が直角をなしていて、
前記第２の連結部は、前記梁の前記根太を連結する側の側面に固定され、前記根太を構成する形鋼の上フランジの下面が前記第１の連結部に固定あるいは載置されたことを特徴とする梁と根太との連結構造。
【発明の詳細な説明】
【０００１】
【発明の属する技術分野】
本発明は、梁と根太との連結構造に関する。
【０００２】
【従来の技術】
従来、形鋼製の根太を梁に取り付ける技術としては、例えば、特開平１１−１８１９３９号公報のような、連結金物を使用して根太を梁に固定する技術が知られている。この従来技術においては、連結金物の一端を根太に固定した上、他端を梁の上面に載置して固定する構造が採用されている。
【０００３】
【発明が解決しようとする課題】
しかしながら、上記従来技術には以下のような問題点がある。
まず、連結金物を梁の上面に載置し固定する構造であることから、根太の上面に構造用合板などの床下地材を貼り付けた場合、梁と床下地材との間に連結金物の厚さ相当分の隙間が生じることとなる。その結果、梁と床下地材との密着性が不十分となり、梁と床下地材とが十分に一体化されないため、床の代表的な構造性能である面内せん断剛性及び耐力が、梁と床下地材とが密着して十分に一体化された場合と比べて、大幅に劣っていると考えられ、耐震性能の点で明らかに不利である。
【０００４】
また、前記隙間が原因となって、床鳴りやキシミ音が発生する恐れもある。このような隙間を埋めるためには、連結金物の厚さ相当の厚さの木材や鋼板等を、梁上の隙間部分全体に敷き詰める必要があるので、施工上、多大な手間が必要になる。
本発明は、上記のような従来技術の問題点を解決し、梁と床下地材との間に上記のような隙間を生じることのない梁と根太との連結構造を提供することを課題とする。
【０００５】
【課題を解決するための手段】
前記課題を解決するため、本発明は次のような構成からなる。すなわち本発明の請求項１記載の梁と根太との連結構造は、梁と形鋼製の根太とを連結金物を介して連結する連結構造であって、前記連結金物は、前記根太に固定する第１の連結部と前記梁に固定する第２の連結部とを有するとともに、前記梁は、前記根太を連結する側の側面に連続し且つ前記第２の連結部の厚さ以上の深さを有する座彫り部分を、上面に有していて、前記第２の連結部は前記座彫り部分内に固定され、前記根太を構成する形鋼の上フランジの下面が前記第１の連結部に固定あるいは載置されたことを特徴とする。
【０００６】
また、本発明の請求項２記載の梁と根太との連結構造は、請求項１記載の梁と根太との連結構造において、前記連結金物が平板状であるとともに、前記座彫り部分は前記第２の連結部の厚さと前記上フランジの厚さとを合わせた値以上の深さを有していて、前記梁の上面と前記上フランジの上面とが同一の高さに位置していることを特徴とする。
【０００７】
さらに、本発明の請求項３記載の梁と根太との連結構造は、請求項１記載の梁と根太との連結構造において、前記連結金物は、前記第１の連結部と前記第２の連結部との間に、前記上フランジの厚さ以上の段差を有する段差部を備えるとともに、前記両連結部が平行であることを特徴とする。
さらに、本発明の請求項４記載の梁と根太との連結構造は、梁と形鋼製の根太とを連結金物を介して連結する連結構造であって、前記連結金物は、前記根太に固定する第１の連結部と前記梁に固定する第２の連結部とを有し、前記両連結部が直角をなしていて、前記第２の連結部は、前記梁の前記根太を連結する側の側面に固定され、前記根太を構成する形鋼の上フランジの下面が前記第１の連結部に固定あるいは載置されたことを特徴とする。
【０００８】
このような構成の梁と根太との連結構造であれば、梁と床下地材との間に隙間が生じることがなく、梁と床下地材とが密着して十分に一体化されるので、床の面内せん断剛性及び耐力が優れていて、耐震性能が高い。
また、梁と床下地材との間に隙間がないので、床鳴りやキシミ音が発生する恐れが少ない。
【０００９】
なお、本発明において「上フランジ」とは、形鋼のフランジのうち、根太として配置された際に最も上に位置するフランジを意味する。
【００１０】
【発明の実施の形態】
本発明に係る梁と根太との連結構造の実施の形態を、図面を参照して詳細に説明する。
（第一実施形態）
図１〜３は、木梁２０とリップ付き溝形鋼で構成される根太４０とを、連結金物１０を用いて連結した構造を説明する図であって、図１は木梁２０と根太４０との連結部分を床下地材５０の一部を破断して示した斜視図、図２は図１のＡ−Ａ線断面図、図３の（ａ）及び（ｂ）は連結金物１０の平面図及び側面図である。
【００１１】
連結金物１０は長方形の金属板であって、長手方向の中央より一方（図３の（ａ）においては右側）に、根太４０を固定あるいは載置する第１の連結部１１を有し、他方（図３の（ａ）においては左側）に、木梁２０に固定する第２の連結部１２を有している。そして、第２の連結部１２にはネジ等を挿入するための複数の孔１３が設けられている。
【００１２】
前記金属板としては、強度４００ＭＰａ級の普通鋼板がよく採用されるが、無論、強度５００ＭＰａ級以上の高張力鋼板を採用しても差し支えない。
なお、前記金属板の種類及び厚み、孔１３の径，個数，及び間隔等は、設計連結強度を勘案して適宜定められるものであって、本発明においては特に限定されるものではない。
【００１３】
木梁２０の上面２１には、長方形の凹部である座彫り部分３０が、木梁２０の両側面間にわたって設けられている。この座彫り部分３０の幅は、連結金物１０の第２の連結部１２の幅よりもやや大であり、その深さは、連結金物１０の第２の連結部１２の厚さ１２ａとリップ付き溝形鋼の上フランジ４１の厚さ４１ａとの合計値と同一となっている（図２参照）。なお、所望により連結金物１０（両連結部１１，１２）と木梁２０（座彫り部分３０の底面）及び根太４０の上フランジ４１との間に、遮音材，防震材等の介装材を介装してもよいが、その場合には座彫り部分３０の深さは、前記合計値に前記介装材の厚さを加えた値と同一とする必要がある。この座彫り部分３０は、基本的には工場においてプレカットする。
【００１４】
このような木梁２０の座彫り部分３０（木梁２０の根太４０を連結する側の側面２２の側）に連結金物１０の第２の連結部１２をはめ込んで、ネジ止め、釘止め等の固着手段により連結金物１０を木梁２０に固定する。次に、根太４０を構成するリップ溝形鋼を、連結金物１０の第１の連結部１１がリップ溝形鋼の上フランジ４１の下側に位置するように配置する。そして、場合によっては、ビス止め、スポット溶接等の固着手段により、第１の連結部１１を上フランジ４１の下面４２に固定する。このような手順により、木梁２０と根太４０とが連結金物１０により直角をなして連結される。
【００１５】
このような連結構造においては、座彫り部分３０の深さが、連結金物１０の第２の連結部１２の厚さ１２ａとリップ付き溝形鋼の上フランジ４１の厚さ４１ａとの合計値と同一となっているので、図２に示すように、連結金物１０が木梁２０の上面２１から突出することがなく、さらに、木梁２０の上面２１と上フランジ４１の上面４３とが同一の高さとなっていて、一つの平面を形成している。
【００１６】
すると、図１及び図２のように、床下地材５０を木梁２０及び根太４０の上に載置した際に、木梁２０及び根太４０と床下地材５０との間には隙間は形成されず、木梁２０及び根太４０と床下地材５０とが密着して十分に一体化されるので、床の耐震性能が向上される。また、前記隙間がないので、床鳴りやキシミ音が発生する恐れが少ない。
【００１７】
なお、連結金物１０の第２の連結部１２の木梁２０への固定は、工場、現場のいずれで行ってもよい。
また、所望により、工場又は現場のいずれかで根太４０に連結金物１０の第１の連結部１１を固定して、連結金物１０を固定した根太４０を現場において木梁２０に取り付けるという、前記の手順とは逆の手順を採用してもよい。
【００１８】
（第二実施形態）
図４〜６は、木梁２０と根太４０とを連結金物１０を用いて連結した構造を説明する図であって、図４は木梁２０と根太４０との連結部分を床下地材５０の一部を破断して示した斜視図、図５は図４のＡ−Ａ線断面図、図６の（ａ），（ｂ），及び（ｃ）は連結金物１０の平面図、側面図、及び正面図である。
【００１９】
なお、第二実施形態は、管柱が根太４０と直角をなして木梁２０の上面２１に接合される例であって、管柱を接合するためのほぞ穴２３が設けられている点と、座彫り部分３０の形状及び連結金物１０の形状が異なる点以外は、第一実施形態とほぼ同様の構成であるので、異なる部分のみ説明し、同様の部分の説明は省略する。なお、図４〜６においては、図１〜３と同一又は相当する部分には、図１〜３と同一の符号を付してある。
【００２０】
連結金物１０は略Ｔ字状の金属板であって、Ｔ字における縦線に相当する部分（図６の（ａ）においては右側）に、根太４０に固定する第１の連結部１１を有し、Ｔ字における横線に相当する部分（図６の（ａ）においては左側）に、木梁２０に固定する第２の連結部１２を有している。そして、第２の連結部１２にはネジ等を挿入するための複数の孔１３が設けられている。
【００２１】
また、木梁２０の上面２１には、長方形の凹部である座彫り部分３０が、木梁２０の根太４０を連結する側の側面２２に連続して設けられている。この座彫り部分３０は、木梁２０の長手方向と平行な辺が長辺をなす長方形であり、同じく長方形である第２の連結部１２のよりも長辺、短辺共に若干大きい形状としてある。そして、その深さは、第一実施形態の場合と同様である。
【００２２】
さらに、木梁２０の上面２１には、図示しない管柱を接合するためのほぞ穴２３が設けられていて、前記管柱が根太４０と直角をなすように接合できるようになっている。
このような構成から、第一実施形態と同様に、連結金物１０が木梁２０の上面２１から突出することなく、さらに、木梁２０の上面２１と上フランジ４１の上面４３とが同一の高さとなるように、木梁２０と根太４０とが連結金物１０により連結される（図５参照）。よって、床下地材５０を木梁２０及び根太４０の上に載置した際に、木梁２０及び根太４０と床下地材５０との間には隙間は形成されないので、第一実施形態と同様の効果を奏する。
【００２３】
（第三実施形態）
図７〜９は、木梁２０と根太４０とを連結金物１０を用いて連結した構造を説明する図であって、図７は木梁２０と根太４０との連結部分を、床下地材５０１，５０２の一部を破断して示した斜視図、図８は図７のＡ−Ａ線断面図、図９の（ａ），（ｂ），及び（ｃ）は連結金物１０の平面図、側面図、及び正面図である。
【００２４】
なお、第三実施形態は、根太４０の上に載置した床下地材５０２と、木梁２０の上に載置した床下地材５０１との高さに段差を設けた例であって、連結金物１０の形状が異なる点及び前記段差を設けて載置した床下地材５０１，５０２以外は第一実施形態とほぼ同様の構成であるので、異なる部分のみ説明し、同様の部分の説明は省略する。なお、図７〜９においては、図１〜３と同一又は相当する部分には、図１〜３と同一の符号を付してある。
【００２５】
連結金物１０は、図９の（ｂ）のように、長方形の金属板をその長手方向の中央付近で屈曲した形状であって、平行をなす２つの水平部分の間に、該水平部分に垂直で段差１５ａを形成する垂直部分１５を有する形状となっている。
前記２つの水平部分のうち下側の水平部分（図９の（ｂ）においては右側）は、根太４０を載置あるいは固定する第１の連結部１１を有していて、また、その両側面には下方に向けて平板１６，１６が設けられている（図９の（ｃ）参照）。なお、この平板１６，１６は設けなくてもよい。
【００２６】
上側の水平部分（図９の（ｂ）においては左側）は、木梁２０に固定する第２の連結部１２を有している。そして、第２の連結部１２には、ネジ等を挿入するための複数の孔１３が設けられている。
また、垂直部分１５の段差１５ａは、上フランジ４１の厚さ４１ａと床下地材５０２の厚さ５０ａとの合計値以上であり（図８参照）、垂直部分１５は本発明の構成用件たる段差部に相当する。
【００２７】
なお、所望により連結金物１０（両連結部１１，１２）と木梁２０（座彫り部分３０の底面）及び根太４０の上フランジ４１との間に、遮音材，防震材等の介装材を介装してもよい。その場合には、段差１５ａは、前記合計値に前記介装材の厚さを加えた値以上とする必要がある。
このような連結金物１０の第１の連結部１１にリップ溝形鋼の上フランジ４１の下面４２を固定又は載置し、第２の連結部１２を木梁２０の上面２１に設けた座彫り部分３０内にはめ込んで固定すると、木梁２０の上面に床下地材５０１を載置しても、木梁２０と床下地材５０１との間に隙間は形成されず、木梁２０と床下地材５０１とが密着して耐震性を向上できる。また、上フランジ４１の上面４３が木梁２０の上面２１より下方に位置して、木梁２０と根太４０とが連結金物１０により直角をなして連結される。なお、木梁２０の根太４０を連結する側の側面２２には、木梁２０に対して平行に木角材６０が固着されているが、その上面６１と上フランジ４１の上面４３とが同一の高さとなるように、木梁２０と根太４０とを連結する。
【００２８】
根太４０と木角材６０との上に床下地材５０２を載置すると、根太４０の上フランジ４１の上面４３と木角材６０の上面６１とは同一の高さとなっているから、根太４０及び木角材６０と床下地材５０２との間には隙間は形成されず、根太４０及び木角材６０と床下地材５０２とが密着して十分に一体化されるので、床の耐震性能が向上される。また、前記隙間がないので、床鳴りやキシミ音が発生する恐れが少ない。
【００２９】
なお、垂直部分１５の段差１５ａは、上フランジ４１の厚さ４１ａと床下地材５０２の厚さ５０ａとを合わせた値以上であるので、床下地材５０２が木梁２０の上面２１より上に突出することはなく、床下地材５０１と床下地材５０２とに段差を設けることができて、例えば、床の高さを意図的に変えたり、この段差を畳とフローリングとの境目にする等が可能となる。
【００３０】
ここで、連結金物１０の段差１５ａは上フランジ４１の厚さ４１ａ以上であればよく、配列する床下地材５０１，５０２に設けたい段差に応じて決定できる。連結金物１０の段差１５ａを上フランジ４１の厚さ４１ａと同等として、さらに、座彫り部分３０の深さを連結金物１０の第２の連結部１２の厚さ１２ａと同等としておけば、木梁２０の上面２１と上フランジ４１の上面４３との高さが同一となり、第一又は第二実施形態と同様に、木梁２０及び根太４０の上面２１，４３と隙間なく床下地材５０１，５０２を載置できる。
【００３１】
また、第二実施形態のように、木梁２０の上面２１に管柱を接合するためのほぞ穴２３が設けられていて、管柱が根太４０と直角をなすように接合される場合には（木梁２０の上面２１には床下地材５０１を載置しない）、連結金物１０には、第二実施形態における連結金物１０と類似の形状のものを用いるとよい。すなわち、上方から見て略Ｔ字状であるような形状であって（図１２の（ａ）参照）、Ｔ字における縦線に相当する部分（図１２の（ａ）においては右側）に、根太４０に固定する第１の連結部１１を有し、Ｔ字における横線に相当する部分（図１２の（ａ）においては左側）に、木梁２０に固定する第２の連結部１２を有している。なお、座彫り部分３０の形状は第二実施形態と同様である。
【００３２】
このような場合の例を、図１０〜１２に示す。図１０は木梁２０と根太４０との連結部分を床下地材５０の一部を破断して示した斜視図、図１１は図１０のＡ−Ａ線断面図、図１２の（ａ），（ｂ），及び（ｃ）は連結金物１０の平面図、側面図、及び正面図である。図１０〜１２においては、図７〜９と同一又は相当する部分には、図７〜９と同一の符号を付してある。
【００３３】
なお、第三実施形態においては、上記のように、木梁２０より根太４０を下方に位置するような連結構造を例示したが、所望により、木梁２０より根太４０を上方に位置するような連結構造を採用してもよい。
その場合には、連結金物１０は、図９の（ｂ）の構造とは逆に、上側の水平部分に、根太４０に固定する第１の連結部１１を有し、下側の水平部分に、木梁２０に固定する第２の連結部１２を有する構造となる。
【００３４】
（第四実施形態）
図１３〜１５は、木梁２０と根太４０とを連結金物１０を用いて連結した構造を説明する図であって、図１３は木梁２０と根太４０との連結部分を床下地材５０の一部を破断して示した斜視図、図１４は図１３のＡ−Ａ線断面図、図１５の（ａ），（ｂ），及び（ｃ）は連結金物１０の平面図、側面図、及び正面図である。
【００３５】
なお、第四実施形態は、木梁２０の上面２１に座彫り部分３０を備えていない連結構造の例であって、連結金物１０の形状が異なる点以外は第一実施形態とほぼ同様の構成であるので、異なる部分のみ説明し、同様の部分の説明は省略する。なお、図１３〜１５においては、図１〜３と同一又は相当する部分には、図１〜３と同一の符号を付してある。
【００３６】
連結金物１０は、長方形の金属板をその長手方向の中央付近で屈曲した形状を有するものであって、２つの平板が直角をなし、側面から見て略Ｌ字状の形状を有している（図１５の（ｂ）参照）。前記２つの平板のうち一方（図１５の（ｂ）においては水平な平板）に、根太４０に固定する第１の連結部１１を有し、他方（図１５の（ｂ）においては垂直な平板）に、木梁２０に固定する第２の連結部１２を有している。そして、第２の連結部１２にはネジ等を挿入するための複数の孔１３が設けられている。
【００３７】
また、木梁２０の上面２１には、上記の各実施形態のような座彫り部分３０は設けられていない。
木梁２０の側面２２（根太４０を連結する側の側面）に、連結金物１０の第２の連結部１２を、第１の連結部１１を水平にして且つ上方に向けて、ネジ止め、釘止め等の固着手段により固定する。その際には、木梁２０の上面２１より上フランジ４１の厚さ４１ａ分だけ下方に、連結金物１０の第１の連結部１１の上面が位置するように、連結金物１０を固定する。
【００３８】
なお、所望により連結金物１０（両連結部１１，１２）と木梁２０の側面２２及び根太４０の上フランジ４１との間に、遮音材，防震材等の介装材を介装してもよい。その場合には、上フランジ４１の厚さ４１ａに前記介装材の厚さを加えた値分だけ木梁２０の上面２１より下方に、連結金物１０の第１の連結部１１の上面が位置するように、連結金物１０を固定する必要がある。
【００３９】
次に、根太４０を構成するリップ溝形鋼を、連結金物１０の第１の連結部１１がリップ溝形鋼の上フランジ４１の下側に位置するように配置する。そして、場合によっては、ビス止め、スポット溶接等の固着手段により、第１の連結部１１を上フランジ４１の下面４２に固定する。このような手順により、木梁２０と根太４０とが連結金物１０により直角をなして連結される。
【００４０】
上記のような位置に連結金物１０を固定したので、図１４に示すように、木梁２０の上面２１と上フランジ４１の上面４３とが同一の高さとなっていて、一つの平面を形成している。
すると、図１３及び１４のように、床下地材５０を木梁２０及び根太４０の上に載置した際に、木梁２０及び根太４０と床下地材５０との間には隙間は形成されず、木梁２０び根太４０と床下地材５０とが密着して十分に一体化されるので、床の耐震性能が向上される。また、前記隙間がないので、床鳴りやキシミ音が発生する恐れが少ない。
【００４１】
なお、所望により、連結金物１０を上記の位置より下方に固定してもよい。その場合には、第三実施形態のように、上フランジ４１の上面４３が木梁２０の上面２１より下方に位置されて、２つの床下地材を段差を設けて設置することが可能となる。
このような連結金物１０を使用すれば、木梁２０に座彫り部分３０を設ける必要がないので、木梁２０の製造工程が単純となる。また、上記のように連結金物１０を所望の位置に取り付けることが容易であるので、床下地材５０の取付位置（高さ）を自由に設計可能である。
【００４２】
なお、第四実施形態において、図１７のような連結金物１０を代わりに用いてもよい。すなわち、図１７の（ｃ）に示すように、第１の連結部１１の両側面に下方に向けて平板１６，１６を設けて、前記垂直な平板（第２の連結部１２）を側方に拡張し、図１７の（ａ）に示すように、上方から見て略Ｔ字状の形状を有する連結金物である。
【００４３】
このような場合の例を、図１６及び１７に示す。図１６は木梁２０と根太４０との連結部分を床下地材５０の一部を破断して示した斜視図、図１７の（ａ），（ｂ），及び（ｃ）は連結金物１０の平面図、側面図、及び正面図である。図１６，１７においては、図１３，１５と同一又は相当する部分には、図１３，１５と同一の符号を付してある。なお、図１６のＡ−Ａ線断面図は、図１４と同様である。
【００４４】
（振れ止め材について）
このような梁２０と根太４０との連結構造においては、人の歩行や飛び跳ね等により生じる鉛直方向の床振動を減衰する性能を向上する目的で、振れ止め材を取り付けてもよい。その例を、図１８〜２２に示す。
図１８〜２２は、第一実施形態の梁と根太の連結構造において振れ止め材（防震材）を適用した例であって、各図の（ａ）は木梁２０の長手方向から見た側面図であり、（ｂ）は根太４０の長手方向（木梁の側面方向）から見た側面図である。
【００４５】
図１８の例においては、振れ止め材として木角材７１を使用した。木角材７１を、根太４０と直交するように根太４０の下フランジ４５の下面に固定し、複数の根太４０を木角材７１で連結した。木角材７１は複数使用し、そのうち、根太４０の両端に固定された木角材７１は、木梁２０の側面２２にも固定されている。なお、隣り合う木角材７１の間隔は４５０ｍｍ〜２０００ｍｍとするのが適当である。
【００４６】
なお、このような振れ止め材は、所定の強度を有する棒状又は平板状の部材であって、複数の根太同士あるいは根太と梁との間を連結するものであれば、木角材に限定されるものではない。
棒状部材の他の例としては形鋼等があげられ、木角材７１の代わりにリップ溝形鋼７２を用いた例を図１９に示す。
【００４７】
また、平板状部材の例としてはべニア板があげられ、その例を図２０に示す。図２０の例においては、２〜３ｍｍの厚さのべニア板７３を、根太４０の下フランジ４５の下面に固定して、複数の根太４０をべニア板７３で連結している。なお、図２０のように、１枚のベニヤ板で連結してもいいし、複数枚のベニヤ板で連結してもよい。
【００４８】
棒状又は平板状の部材以外の部材でも、同様に床の振動の減衰性能を向上させる効果が期待できる。図２１，２２にその例を示す。
図２１は、直角をなす２つの平板からなるＬ字形の金物７４を介して、根太４０のウェブ４６の一部を木梁２０の側面２２に固定した例である。この金物７４の前記２つの平板のうち、一方を根太４０の端部のウェブ４６に直接あるいは介装材を介して接合し、他方を梁２０に接合する。
【００４９】
また、図２２は、根太４０の上下フランジ４１，４５，ウェブ４６，及びリップ４７に内接する直方体状の部材７５の複数を、根太４０の上下フランジ４１，４５，ウェブ４６，及びリップ４７が形成する空間内に装着した例である。
なお、直方体状の部材７５の材質としては、木材等があげられる。また、直方体状の部材７５の根太４０の長手方向の長さは、根太せい寸法の０．５〜１．５倍とするのが適当であり、隣接する直方体状の部材７５同士の間隔は４５０〜２０００ｍｍとするのが適当である。
【００５０】
なお、このようなＬ字形の金物７４からなる振れ止め材や、直方体状の部材７５からなる振れ止め材は、それぞれを単独で用いてもよいし、両者を併用してもよい。また、前記の棒状又は平板状の部材からなる振れ止め材と、さらに併用してもよい。
このように、振れ止め材は床の振動の減衰性能を向上させる効果を有するが、本実施形態のように根太として木材ではなく形鋼が使用されている場合には、特に、減衰性能の向上に対する効果が高い。
【００５１】
以上説明したように、本実施形態の梁と根太との連結構造は、梁に所定の深さの座彫り部分を設け、その座彫り部分に梁と根太とを連結するための連結金物を埋め込んだ状態で固定することにより、根太の上フランジの上面を梁の上面と同一レベルにすることが可能となり、これにより、梁や根太に床下地材を載置した際に、床下地材と梁や根太との間に隙間が生じることがない。
【００５２】
また別の手段としては、連結金物を梁の上面ではなく側面の所定の高さ位置に直接あるいは介装材を介して固定することで同様の効果が実現できる。
これらの結果、梁や根太と床下地材とが密着して十分に一体化されるので、床の面内せん断剛性及び耐力が優れていて、耐震性能が高い。また、床鳴りやキシミ音が発生する恐れが少ない。
【００５３】
なお、本実施形態は本発明の一例を示したものであって、本発明の目的を達成するものであれば、連結金物１０の形状等は本実施形態に限定されるものではない。
例えば、本実施形態においては、根太を構成する形鋼としてリップ付き溝形鋼（リップ付きＣ形鋼）を例示して説明したが、溝形鋼（リップ無しＣ形鋼) 、Ｈ形鋼、角形鋼（角鋼) などでも差し支えない。
【００５４】
また、梁として木梁を例示して説明したが、鋼梁、鋼木複合梁等でも問題ない。前記鋼梁としては、Ｈ形鋼又は背合型リップ付きＣ形鋼等があげられる。
さらに、連結金物１０（第１の連結部１１及び第２の連結部１２）を固定する方法としては、相手材（梁及び根太）が木製の場合はネジ止め、釘止め等の固着手段、金属製の場合はビス止め、溶接等の固着手段があげられる。
【００５５】
【発明の効果】
以上のように、本発明の梁と根太との連結構造によれば、梁と床下地材との間に隙間が生じることがなく、梁と床下地材とが密着して十分に一体化されるので、床の耐震性能を向上させることが可能である。
また、梁と床下地材との間に隙間がないので、床鳴りやキシミ音が発生する恐れが少ない。
【図面の簡単な説明】
【図１】第一実施形態の梁と根太との連結構造の斜視図である。
【図２】図１のＡ−Ａ線断面図である。
【図３】第一実施形態における連結金物の平面図及び側面図である。
【図４】第二実施形態の梁と根太との連結構造の斜視図である。
【図５】図４のＡ−Ａ線断面図である。
【図６】第二実施形態における連結金物の平面図、側面図、及び正面図である。
【図７】第三実施形態の梁と根太との連結構造の斜視図である。
【図８】図７のＡ−Ａ線断面図である。
【図９】第三実施形態における連結金物の平面図、側面図、及び正面図である。
【図１０】第三実施形態の梁と根太との連結構造の変形例の斜視図である。
【図１１】図１０のＡ−Ａ線断面図である。
【図１２】第三実施形態の変形例における連結金物の平面図、側面図、及び正面図である。
【図１３】第四実施形態の梁と根太との連結構造の斜視図である。
【図１４】図１３のＡ−Ａ線断面図である。
【図１５】第四実施形態における連結金物の平面図、側面図、及び正面図である。
【図１６】第四実施形態の梁と根太との連結構造の変形例の斜視図である。
【図１７】第四実施形態の変形例における連結金物の平面図、側面図、及び正面図である。
【図１８】本発明に係る梁と根太との連結構造において、振れ止め材を取り付けた場合の例を示す図である。
【図１９】本発明に係る梁と根太との連結構造において、振れ止め材を取り付けた場合の他の例を示す図である。
【図２０】本発明に係る梁と根太との連結構造において、振れ止め材を取り付けた場合の他の例を示す図である。
【図２１】本発明に係る梁と根太との連結構造において、振れ止め材を取り付けた場合の他の例を示す図である。
【図２２】本発明に係る梁と根太との連結構造において、振れ止め材を取り付けた場合の他の例を示す図である。
【符号の説明】
１０    連結金物
１１    第１の連結部
１２    第２の連結部
１２ａ  厚さ
１５    垂直部分
１５ａ  段差
２０    木梁
２１    上面
２２    側面
３０    座彫り部分
４０    根太
４１    上フランジ
４１ａ  厚さ
４２    下面
４３    上面
【図１】
0004186371.tif 000002
【図２】
0004186371.tif 000003
【図３】
0004186371.tif 000004
【図４】
0004186371.tif 000005
【図５】
0004186371.tif 000006
【図６】
0004186371.tif 000007
【図７】
0004186371.tif 000008
【図８】
0004186371.tif 000009
【図９】
0004186371.tif 000010
【図１０】
0004186371.tif 000011
【図１１】
0004186371.tif 000012
【図１２】
0004186371.tif 000013
【図１３】
0004186371.tif 000014
【図１４】
0004186371.tif 000015
【図１５】
0004186371.tif 000016
【図１６】
0004186371.tif 000017
【図１７】
0004186371.tif 000018
【図１８】
0004186371.tif 000019
【図１９】
0004186371.tif 000020
【図２０】
0004186371.tif 000021
【図２１】
0004186371.tif 000022
【図２２】
0004186371.tif 000023